(57)【要約】【課題】箱状のケーシング（34）を備えて天井に設置される空気調和装置の室内ユニット（13）について、複数台の室内ユニット（13,13,…）を互いの短手側の側面（34b）が当接又は近接する状態で並べて配置することができるようにする。【解決手段】箱状ケーシング（34）の長手側の側面（34a）から、そのケーシング（34）内の室内熱交換器（38）に接続される冷媒配管（11,12）が出るようにする。また、ケーシング（34）の長手側の側面（34a）から、そのケーシング（34）内のドレンポンプ（41）に接続されるドレン配管（18）が出るようにする。【選択図】図１
2007315670.tif 000002
【特許請求の範囲】
【請求項１】
箱状のケーシング（34）と、該ケーシング（34）内に収容される室内熱交換器（38）とを備え、天井に設置される空気調和装置の室内ユニットであって、
上記室内熱交換器（38）に接続される冷媒配管（11,12）が、上記ケーシング（34）の長手側の側面（34a）から出ていることを特徴とする空気調和装置の室内ユニット。
【請求項２】
請求項１において、
上記ケーシング（34）内には、上記室内熱交換器（38）の下側に設置されるドレンパン（40）と、該ドレンパン（40）に溜まるドレン水をケーシング（34）外へ排出するためのドレンポンプ（41）とが収容される一方、
上記ドレンポンプ（41）に接続されるドレン配管（18）が、上記ケーシング（34）の長手側の側面（34a）から出ていることを特徴とする空気調和装置の室内ユニット。
【請求項３】
請求項２において、
上記冷媒配管（11,12）とドレン配管（18）とは、上記ケーシング（34）における同じ長手側の側面（34a）から出ていることを特徴とする空気調和装置の室内ユニット。
【請求項４】
請求項２又は３において、
上記室内熱交換器（38）は、上記ケーシング（34）の長手方向に沿うように配置され、
上記ドレンパン（40）は、上記室内熱交換器（38）に沿って延びると共にその底面が長手方向の両端から中央へ向かって低くなるように傾斜したドレン受け部（42）と、上記ドレンポンプ（41）を設けるために該ドレン受け部（42）の中央部に連続して形成されたドレン溜め部（44）とを備え、
上記ドレン配管（18）は、上記ケーシング（34）の長手側の側面（34a）における長手方向の中央部から出ていることを特徴とする空気調和装置の室内ユニット。
【請求項５】
請求項４において、
上記冷媒配管（11,12）は、上記室内熱交換器（38）におけるケーシング（34）の長手方向の一端側に接続され、上記長手側の側面（34a）におけるケーシング（34）の長手方向の一端側から出ていることを特徴とする空気調和装置の室内ユニット。
【請求項６】
請求項１乃至３の何れか１つにおいて、
上記室内熱交換器（38）は、上記ケーシング（34）の長手方向に沿うように配置され、
上記冷媒配管（11,12）は、上記室内熱交換器（38）におけるケーシング（34）の長手方向の一端側に接続され、上記長手側の側面（34a）におけるケーシング（34）の長手方向の一端側から出ていることを特徴とする空気調和装置の室内ユニット。
【請求項７】
請求項１乃至６の何れか１つにおいて、
上記ケーシング（34）の下面に取り付けられて、室内に空調空気を供給するための吹出口（23）が形成された化粧パネル（21）を備え、
上記吹出口（23）は、上記ケーシング（34）の長手方向に延びていることを特徴とする空気調和装置の室内ユニット。
【発明の詳細な説明】
【技術分野】
【０００１】
本発明は、天井に設置される空気調和装置の室内ユニットに関するものである。
【背景技術】
【０００２】
従来より、箱状のケーシングを備えて空調空間の天井に設置される空気調和装置の室内ユニットが知られている。この種の室内ユニットは、例えば天井に形成された開口に挿入されて設置される。
【０００３】
この種の室内ユニットの一例が特許文献１に開示されている。この室内ユニットは、直方体状のケーシングを備えている。ケーシング内には、熱交換器、遠心ファン、ドレンパンなどが設けられている。熱交換器は、２つ設けられており、それぞれが全体として略長方形の平板状に形成されている。各熱交換器は、短手方向が縦方向になるように立設されている。各熱交換器は、長手方向がケーシングの長手方向に沿って配置され、遠心ファンを挟んで対向している。ドレンパンは、各熱交換器の下側に配置されている。
【特許文献１】特開平８−８２４２７号公報
【発明の開示】
【発明が解決しようとする課題】
【０００４】
ところで、従来、箱状のケーシングを備える室内ユニットは、室内熱交換器に接続される冷媒配管がケーシングの短手側の側面から出ている。このようにしているのは、主にケーシング内における冷媒配管の接続を容易にするためであり、室内熱交換器の冷媒配管の接続箇所とケーシングの側面との位置関係が考慮されている。室内熱交換器の冷媒配管の接続箇所はケーシングの短手側の側面寄りの位置になっている場合が多い。
【０００５】
このため、複数台の室内ユニットを互いの短手側の側面が当接又は接近する状態で並べて配置しようとしても、ケーシングの短手側の側面から出る冷媒配管が邪魔になるので、短手側の側面同士を当接又は近接させることができなかった。
【０００６】
本発明は、かかる点に鑑みてなされたものであり、その目的とするところは、箱状のケーシングを備えて天井に設置される空気調和装置の室内ユニットについて、複数台の室内ユニットを互いの短手側の側面が当接又は近接する状態で並べて配置することができるようにすることにある。
【課題を解決するための手段】
【０００７】
第１の発明は、箱状のケーシング（34）と、該ケーシング（34）内に収容される室内熱交換器（38）とを備え、天井に設置される空気調和装置の室内ユニット（13）を対象とする。そして、この室内ユニット（13）は、上記室内熱交換器（38）に接続される冷媒配管（11,12）が、上記ケーシング（34）の長手側の側面（34a）から出ている。
【０００８】
第１の発明では、室内熱交換器（38）に接続される冷媒配管（11,12）が、箱状のケーシング（34）の長手側の側面（34a）から出ている。従って、箱状のケーシング（34）の短手側の側面（34b）からは冷媒配管（11,12）が出ていない。
【０００９】
第２の発明は、上記第１の発明において、上記ケーシング（34）内には、上記室内熱交換器（38）の下側に設置されるドレンパン（40）と、該ドレンパン（40）に溜まるドレン水をケーシング（34）外へ排出するためのドレンポンプ（41）とが収容される一方、上記ドレンポンプ（41）に接続されるドレン配管（18）が、上記ケーシング（34）の長手側の側面（34a）から出ている。
【００１０】
第２の発明では、ドレンポンプ（41）に接続されるドレン配管（18）が、箱状のケーシング（34）の長手側の側面（34a）から出ている。従って、箱状のケーシング（34）の短手側の側面（34b）からはドレン配管（18）が出ていない。
【００１１】
第３の発明は、上記第２の発明において、上記冷媒配管（11,12）とドレン配管（18）とが、上記ケーシング（34）における同じ長手側の側面（34a）から出ている。
【００１２】
第３の発明では、冷媒配管（11,12）とドレン配管（18）とをケーシング（34）における同じ長手側の側面（34a）から出している。一般に、空気調和装置では、例えば室内ユニット（13）の設置後に、冷媒配管（11,12）の一部を構成する室内ユニット（13）外の配管を室内ユニット（13）の外側に接続する作業と、ドレン配管（18）の一部を構成する室内ユニット（13）外の配管を室内ユニット（13）の外側に接続する作業とを行うことにより、冷媒配管（11,12）とドレン配管（18）とがケーシング（34）から出る状態になる。この第３の発明では、冷媒配管（11,12）の室内ユニット（13）外の配管を室内ユニット（13）に接続する作業と、ドレン配管（18）の室内ユニット（13）外の配管を室内ユニット（13）に接続する作業とが、ケーシング（34）の同じ側から行われる。
【００１３】
第４の発明は、上記第２又は第３の発明において、上記室内熱交換器（38）が、上記ケーシング（34）の長手方向に沿うように配置され、上記ドレンパン（40）が、上記室内熱交換器（38）に沿って延びると共にその底面が長手方向の両端から中央へ向かって低くなるように傾斜したドレン受け部（42）と、上記ドレンポンプ（41）を設けるために該ドレン受け部（42）の中央部に連続して形成されたドレン溜め部（44）とを備え、上記ドレン配管（18）が、上記ケーシング（34）の長手側の側面（34a）における長手方向の中央部から出ている。
【００１４】
第４の発明では、ドレンパン（40）のドレン受け部（42）が、その底面が長手方向の各端部から中央部へ向かって傾斜するように形成されている。従って、ドレン受け部（42）の底面において最も高い部分である各端部から最も低い部分である中央部までの距離が、底面を一端から他端へ向かって傾斜させる場合に比べて短くなる。また、この第４の発明では、ケーシング（34）の長手方向の中央のドレンポンプ（41）に接続されたドレン配管（18）が、ケーシング（34）の長手側の側面（34a）における長手方向の中央部から出ている。すなわち、ケーシング（34）内においてドレン配管（18）が、ケーシング（34）の長手方向のほぼ中央に配設される。
【００１５】
第５の発明は、上記第４の発明において、上記冷媒配管（11,12）が、上記室内熱交換器（38）におけるケーシング（34）の長手方向の一端側に接続され、上記長手側の側面（34a）におけるケーシング（34）の長手方向の一端側から出ている。
【００１６】
第５の発明では、室内熱交換器（38）におけるケーシング（34）の長手方向の一端側に接続される冷媒配管（11,12）が、長手側の側面（34a）におけるケーシング（34）の長手方向の一端側から出ている。つまり、ケーシング（34）内において冷媒配管（11,12）が、ケーシング（34）の長手方向の一端側に配設される。従って、ケーシング（34）内において、冷媒配管（11,12）が長手方向の中央に配設されるドレン配管（18）から離れた状態になる。
【００１７】
第６の発明は、上記第１乃至第３の何れか１つの発明において、上記室内熱交換器（38）は、上記ケーシング（34）の長手方向に沿うように配置され、上記冷媒配管（11,12）は、上記室内熱交換器（38）におけるケーシング（34）の長手方向の一端側に接続され、上記長手側の側面（34a）におけるケーシング（34）の長手方向の一端側から出ている。
【００１８】
第６の発明では、室内熱交換器（38）におけるケーシング（34）の長手方向の一端側に接続される冷媒配管（11,12）が、長手側の側面（34a）におけるケーシング（34）の長手方向の一端側から出ている。つまり、冷媒配管（11,12）は、長手側の側面（34a）のうち室内熱交換器（38）への接続箇所に近い側から出ている。
【００１９】
第７の発明は、上記第１乃至第６の何れか１つの発明において、上記ケーシング（34）の下面に取り付けられて、室内に空調空気を供給するための吹出口（23）が形成された化粧パネル（21）を備え、上記吹出口（23）が、上記ケーシング（34）の長手方向に延びている。
【００２０】
第７の発明では、化粧パネル（21）の吹出口（23）が、ケーシング（34）の長手方向に延びている。すなわち、吹出口（23）の長手方向とケーシング（34）の長手方向とが一致している。
【発明の効果】
【００２１】
本発明では、室内熱交換器（38）に接続される冷媒配管（11,12）を箱状のケーシング（34）の長手側の側面（34a）から出すようにしている。すなわち、ケーシング（34）の短手側の側面（34b）からは、室内ユニット（13）同士の短手側の側面（34b）を当接又は近接させる際に邪魔になっていた冷媒配管（11,12）が出ていない。従って、複数台の室内ユニット（13,13,…）を互いのケーシング（34）の短手側の側面（34b）同士が当接又は近接する状態で並べて配置することができる。
【００２２】
また、上記第２の発明では、ドレンポンプ（41）に接続されるドレン配管（18）を箱状のケーシング（34）の長手側の側面（34a）から出すようにしている。すなわち、ケーシング（34）の側面からドレン配管（18）を出す場合に、室内ユニット（13）同士の短手側の側面（34b）を当接又は近接させる際にドレン配管（18）が邪魔にならない。従って、ケーシング（34）の側面からドレン配管（18）を出す場合においても、複数台の室内ユニット（13,13,…）を互いのケーシング（34）の短手側の側面（34b）同士が当接又は近接する状態で並べて配置することができる。
【００２３】
また、第３の発明では、冷媒配管（11,12）及びドレン配管（18）をケーシング（34）における同じ側面（34a）から出すことで、冷媒配管（11,12）の室内ユニット（13）外の配管を室内ユニット（13）に接続する作業と、ドレン配管（18）の室内ユニット（13）外の配管を室内ユニット（13）に接続する作業とが、ケーシング（34）の同じ側から行われるようにしている。従って、冷媒配管（11,12）の室内ユニット（13）外の配管、及びドレン配管（18）の室内ユニット（13）外の配管を室内ユニット（13）に接続する作業を容易に行うことができる。また、冷媒配管（11,12）とドレン配管（18）とがケーシング（34）の同じ側から出ているので、ケーシング（34）の回りにおける冷媒配管（11,12）及びドレン配管（18）の配設状態が複雑にならない。
【００２４】
また、第４の発明では、ドレンパン（40）のドレン受け部（42）の底面を長手方向の両端から中央へ向かって低くなるように傾斜させることで、ドレン受け部（42）の底面において最も高い部分である各端部から最も低い部分である中央部までの距離が短くなるようにしている。従って、ドレン受け部（42）の底面の高低差を小さくすることができるので、ドレン受け部（42）の高さを小さくすることができる。従って、ケーシング（34）においてドレン受け部（42）に対応する部分の高さを小さくすることができるので、ケーシング（34）全体の高さを小さくすることができる。
【００２５】
また、第５の発明では、室内熱交換器（38）におけるケーシング（34）の長手方向の一端側に接続される冷媒配管（11,12）を、長手側の側面（34a）におけるケーシング（34）の長手方向の一端側から出すことで、ケーシング（34）内において、冷媒配管（11,12）がドレン配管（18）から離れた状態になるようにしている。従って、室内ユニット（13）の組立においてケーシング（34）に冷媒配管（11,12）やドレン配管（18）を組み付ける作業の作業性が向上する。また、冷媒配管（11,12）に断熱材を巻き付ける作業を行う場合は、その巻付作業の作業性も向上する。
【００２６】
また、第６の発明では、冷媒配管（11,12）が、ケーシング（34）における長手側の側面（34a）のうち室内熱交換器（38）への接続箇所に近い一端側から出ている。従って、冷媒配管（11,12）のケーシング（34）に収容される部分を短くすることができる。
【００２７】
また、第７の発明では、吹出口（23）の長手方向とケーシング（34）の長手方向とが一致するようにしている。従って、複数台の室内ユニット（13,13,…）を互いのケーシング（34）の短手側の側面（34b）同士が当接又は近接する状態で並べて配置する場合に、室内ユニット（13,13,…）が並べる方向と吹出口（23）の長手方向とが一致するので、吹出流が互いに干渉しない。
【発明を実施するための最良の形態】
【００２８】
以下、本発明の実施形態を図面に基づいて詳細に説明する。
【００２９】
本実施形態の空気調和装置の室内ユニット（13）は、天井に形成された開口に設置される室内ユニット（13）である。室内ユニット（13）は、図示しない室外ユニットと共に空気調和装置を構成している。室内ユニット（13）は、液側の冷媒配管（11）及びガス側の冷媒配管（12）を介して室外ユニットに接続されている。
【００３０】
図１及び図２に示すように、室内ユニット（13）は、本体ユニット（20）と化粧パネル（21）とを備えている。本体ユニット（20）は、天井の開口に臨む状態で吊りボルトを介して建物の躯体から吊り下げられる（図示省略）。化粧パネル（21）は、天井の開口の周囲との間に隙間ができないように本体ユニット（20）の下面に取り付けられる。化粧パネル（21）は、本体ユニット（20）の下面を覆って室内に露出する。
【００３１】
本体ユニット（20）は、箱状のケーシング（34）を備えている。ケーシング（34）は、略直方体状に形成され、下側が概ね開口している。ケーシング（34）内には、室内熱交換器（38）と室内ファン（39）とドレンパン（40）とドレンポンプ（41）とが設けられている。室内熱交換器（38）と室内ファン（39）とは、それぞれ２つずつ設けられている。
【００３２】
各室内熱交換器（38）は、クロスフィン式のフィン・アンド・チューブ型熱交換器として構成されている。各室内熱交換器（38）は、全体として略長方形の平板状に形成されている。各室内熱交換器（38）は、短手方向が縦方向になるように立設されている。各室内熱交換器（38）は、長手方向がケーシング（34）の長手方向と一致するように、ケーシング（34）の長手側の側面（34a）に沿って配置されている。
【００３３】
ケーシング（34）の一方の長手側の側面（34a）における長手方向の一端側には、その側面（34a）を貫通する状態で冷媒配管用の接続ポート（14）が設けられている。接続ポート（14）は、液側の冷媒配管（11）用とガス側の冷媒配管（12）用の２つが設けられている。ケーシング（34）内において、液側の冷媒配管用の接続ポート（14a）には液側の冷媒配管（11）の一端が接続され、ガス側の冷媒配管用の接続ポート（14b）にはガス側の冷媒配管（12）の一端が接続されている。液側の冷媒配管（11）及びガス側の冷媒配管（12）の他端は、それぞれ分岐して各室内熱交換器（38）におけるケーシング（34）の長手方向の一端側に接続されている。各冷媒配管（11,12）は、ケーシング（34）の短手側の側面（34b）に沿って配設されている。
【００３４】
ケーシング（34）外において、各接続ポート（14）には、室内ユニット（13）を室外ユニットと接続するための冷媒配管（11,12）が接続される。各冷媒配管（11,12）は、室内熱交換器（38）から冷媒配管用の接続ポート（14）までの室内ユニット（13）側の部分と、その接続ポート（14）から室外ユニットに至る室内ユニット（13）外の部分とから構成されている。この実施形態では、室内ユニット（13）側の部分と室内ユニット（13）外の部分とが接続された冷媒配管（11,12）が、ケーシング（34）の一方の長手側の側面（34a）から出ている。
【００３５】
各室内ファン（39）は、室内熱交換器（38）の間においてケーシング（34）の長手方向に並んだ状態で配置されている。室内ファン（39）の間には、図示しない仕切壁が設けられている。この仕切壁は、ケーシング（34）を長手方向に概ね２等分する位置に設けられている。仕切壁は、各室内ファン（39）の吹出空気が互いに干渉することを防止し、室内ファン（39）の回転音が互いに共鳴することを抑制するためのものである。
【００３６】
各室内ファン（39）は、ターボファンとして構成されている。各室内ファン（39）の下側には、後述する化粧パネル（21）の吸込口（22）に連通するベルマウス（25）が設けられている。各室内ファン（39）は、下側から吸い込んだ空気を水平方向へ吹き出すように構成されている。各室内ファン（39）は、空気の吹き出し側が両方の室内熱交換器（38）に臨んでいる。
【００３７】
図３に示すように、ドレンパン（40）は、ドレン受部（42）と配管ドレン受部（43）とドレン溜め部（44）とを備えている。ドレン受部（42）は、各室内熱交換器（38）において空気中の水分が凝縮されて生じるドレン水を受けることができるように、各室内熱交換器（38）の下側に設けられている。各ドレン受部（42）は、略長方形状に形成され、それぞれが室内熱交換器（38）に沿って延びている。各ドレン受部（42）の底面は、長手方向の両端から中央部へ向かってドレン水が流れるように、両端から中央へ向かって高さが低くなるように傾斜している。
【００３８】
配管ドレン受部（43）は、冷媒配管（11,12）において空気中の水分が凝縮されて生じるドレン水を受けることができるように、室内熱交換器（38）から接続ポート（14）まで延びる冷媒配管（11,12）の下側に設けられている。配管ドレン受部（43）は、略長方形状に形成されている。配管ドレン受部（43）は、その長手方向の両端部がそれぞれドレン受部（42）の一端側に接続されている。配管ドレン受部（43）の底面は、長手方向の中央から両端へ向かってドレン水が流れるように、中央から両端へ向かって高さが低くなるように傾斜している。
【００３９】
ドレン溜め部（44）は、各ドレン受部（42）の長手方向の中央部に連続して形成されている。具体的に、ドレン溜め部（44）は、略長方形状に形成され、その長手方向の両端が各ドレン受部（42）の長手方向の中央部の内側に接続されている。ドレン溜め部（44）の底面は、一端側へ向かってドレン水が流れるように、その一端側が低くなっている。これにより、ドレン受部（42）や配管ドレン受部（43）に落下したドレン水はドレン溜め部（44）の一端側に集められる。ドレン水が集められるドレン溜め部（44）の一端側は、ケーシング（34）の短手方向において冷媒配管用の接続ポート（14）が設けられた長手側の側面（34a）側になっている。
【００４０】
ドレン溜め部（44）の一端側には、その一端側に集められるドレン水を室外に排水するためのドレンポンプ（41）が設置されている。また、ケーシング（34）の一方の長手側の側面（34a）、すなわち冷媒配管用の接続ポート（14）が設けられた長手側の側面（34a）には、その側面（34a）を貫通する状態でドレン配管用の接続ポート（15）が設けられている。ドレン配管用の接続ポート（15）は、長手側の側面（34a）の長手方向の中央部に設けられている。
【００４１】
ケーシング（34）内において、ドレンポンプ（41）にはドレン配管（18）の一端が接続され、ドレン配管用の接続ポート（15）にはドレン配管（18）の他端が接続されている。ドレン配管（18）は、ドレンポンプ（41）側の室内熱交換器（38）の上方を通ってケーシング（34）の外部へ延びている。また、ケーシング（34）外において、ドレン配管用の接続ポート（15）には、室外へ延びるドレン配管（18）が接続されている。ドレン配管（18）は、ドレンポンプ（41）からドレン配管用の接続ポート（15）までの室内ユニット（13）側の部分と、その接続ポート（15）から室外に至る室内ユニット（13）外の部分とから構成されている。この実施形態では、室内ユニット（13）側の部分と室内ユニット（13）外の部分とが接続されたドレン配管（18）が、ケーシング（34）の長手側の側面（34a）から出ている。また、冷媒配管（11,12）とドレン配管（18）とは、同じ長手側の側面（34a）から出ている。
【００４２】
化粧パネル（21）は、幅が奥行きに比べて長い長方形状に形成されている。化粧パネル（21）は、幅がケーシング（34）の短手方向の長さよりも長く、奥行きがケーシング（34）の長手方向の長さと概ね等しくなっている。化粧パネル（21）の上面には、ケーシング（34）の下面に取り付ける際にその下面に嵌め込まれる取付部が形成されている（図示省略）。なお、ケーシング（34）に化粧パネル（21）を取り付ける際は、スポンジ状のシール材をケーシング（34）と化粧パネル（21）との間に介在させる。
【００４３】
化粧パネル（21）には、長手方向に沿って延びる吹出口（23）が２つ形成されている。吹出口（23）の長手方向はケーシング（34）の長手方向と一致している。各吹出口（23）は、化粧パネル（21）の各長辺寄りの位置に形成されている。各吸込口（22）には、吹出空気の風向を調節するためのフラップ（27）がそれぞれ設けられている。
【００４４】
化粧パネル（21）における吹出口（23）の間には、吸込口（22）が２つ形成されている。これらの吸込口（22）は、化粧パネル（21）の長手方向に並んだ状態で配置されている。各吸込口（22）は、中央に正方形状のパネル部材（28）が設けられ、その周囲から室内空気を吸い込むように形成されている。各パネル部材（28）の裏側には、吸込空気の塵埃を除去するためのフィルタ（24）が設けられている。
【００４５】
この室内ユニット（13）では、各室内ファン（39）によって室内空気が吸込口（22）から吸い込まれ、各室内熱交換器（38）へ送られる。各室内熱交換器（38）に送られた空気は、各室内熱交換器（38）を通過する際に温度調節される。そして、温度調節された空気は、ケーシング（34）内の各室内熱交換器（38）の外側を下向きに流通して、化粧パネル（21）の吹出口（23）から室内へ供給される。
【００４６】
−実施形態の効果−
上記実施形態では、室内熱交換器（38）に接続される冷媒配管（11,12）及びドレンポンプ（41）に接続されるドレン配管（18）を、箱状のケーシング（34）の長手側の側面（34a）から出すようにしている。すなわち、ケーシング（34）の短手側の側面（34b）からは、室内ユニット（13）同士の短手側の側面（34b）を当接又は近接させる際に邪魔になっていた冷媒配管（11,12）及びドレン配管（18）が出ていない。従って、複数台の室内ユニット（13,13,…）を互いのケーシング（34）の短手側の側面（34b）同士が当接又は近接する状態で並べて配置することができる。
【００４７】
なお、室内ユニット（13）を薄型化すると、室内熱交換器（38）の面積が小さくなって１台の室内ユニット（13）では所定の空調能力を得ることができない場合がある。このような場合に、複数の室内ユニット（13）を並べて配置することで、十分な空調能力を得ることが可能になる。そして、互いのケーシング（34）の短手側の側面（34b）同士を当接又は近接する状態で並べて配置する方が、長手側の側面（34a）同士を当接又は近接する状態で並べるよりも、照明器具の方向等に合う場合が多く意匠性が優れている。さらに、この実施形態では、吹出口（23）の長手方向と室内ユニット（13）を並べる方向とが一致している。従って、複数の室内ユニット（13）を並べて配置する場合の室内から見た意匠性を向上させることができる。また、吹出口（23）の長手方向と室内ユニット（13）を並べる方向とが一致するので、吹出流が互いに干渉しない。
【００４８】
また、上記実施形態では、冷媒配管（11,12）とドレン配管（18）を同じ側面（34a）から出している。従って、冷媒配管（11,12）の室内ユニット（13）外の配管を室内ユニット（13）に接続する作業と、ドレン配管（18）の室内ユニット（13）外の配管を室内ユニット（13）に接続する作業とをケーシング（34）の同じ側から行うことができるので、これら接続作業を容易に行うことができる。また、冷媒配管（11,12）とドレン配管（18）とがケーシング（34）の同じ側から出ているので、ケーシング（34）の回りにおける冷媒配管（11,12）及びドレン配管（18）の配設状態が複雑にならない。
【００４９】
また、上記実施形態では、ドレンパン（40）のドレン受け部（42）の底面を長手方向の両端から中央へ向かって低くなるように傾斜させることで、ドレン受け部（42）の底面において最も高い部分から最も低い部分までの距離が比較的短くなるようにしている。従って、ドレン受け部（42）の高さを規定するその底面の高低差を比較的小さくすることができるので、ドレン受け部（42）の高さを低くすることができる。従って、ケーシング（34）においてドレン受け部（42）に対応する部分の高さを小さくすることができるので、ケーシング（34）全体の高さを小さくすることができる。なお、天井に設置される室内ユニット（13）は本体ユニット（20）が天井裏に収納されるので高さの制約を受けることが多い。従って、室内ユニット（13）を薄型化することができるので、高さの制約を受けにくくなる。
【００５０】
また、上記実施形態では、室内熱交換器（38）におけるケーシング（34）の長手方向の一端側に接続される冷媒配管（11,12）を、長手側の側面（34a）におけるケーシング（34）の長手方向の一端側から出すことで、ケーシング（34）内において、冷媒配管（11,12）がドレン配管（18）から離れた状態になるようにしている。従って、室内ユニット（13）の組立においてケーシング（34）に冷媒配管（11,12）やドレン配管（18）を組み付ける作業の作業性が向上する。また、例えば、冷媒配管（11,12）の室内ユニット（13）外の部分を室内ユニット（13）に接続する作業を行う場合も、その作業で用いる工具がドレン配管（18）に干渉しないので、その接続作業の作業性も向上する。また、配管ドレン受け部（43）を設けずに冷媒配管（11,12）に断熱材を巻き付ける場合は、その巻付作業の作業性も向上する。
【００５１】
また、上記実施形態では、室内熱交換器（38）の冷媒配管（11,12）の接続箇所から冷媒配管用の接続ポート（14）までの距離が短いので、冷媒配管（11,12）の室内ユニット（13）側の部分の長さを短くすることができる。
【００５２】
−実施形態の変形例１−
実施形態の変形例１について説明する。この変形例１の室内ユニット（13）を図４に示す。この変形例１では、上記実施形態の配管ドレン受部（43）を設けずに、配管ドレン受部（43）の位置にドレン溜め部（44）を配置している。この場合、ケーシング（34）の一方の長手側の側面（34a）の一端側に、冷媒配管用の接続ポート（14）に近接してドレン配管用の接続ポート（15）が設けられる。
【００５３】
−実施形態の変形例２−
実施形態の変形例２について説明する。この変形例２の室内ユニット（13）を図５に示す。この変形例２では、冷媒配管用の接続ポート（14）とドレン配管用の接続ポート（15）との両方を、ケーシング（34）の一方の長手側の側面（34a）の中央部に設けている。この場合、ケーシング（34）内において、冷媒配管（11,12）とドレン配管（18）とは、ドレンポンプ（41）に最も近いケーシング（34）の角部で同じ方向に折り曲げられて長手側の側面（34a）に沿って配設され、それぞれが接続ポート（14,15）に接続される。冷媒配管（11,12）の長手側の側面（34a）に沿う部分には、断熱材が巻き付けられる。なお、図６に示すように、冷媒配管（11,12）の長手側の側面（34a）に沿う部分を、室内熱交換器（38）の外側においてケーシング（34）の内壁を覆う断熱部材（33）に埋設するようにしてもよい。
【００５４】
《その他の実施形態》
上記実施形態について、ケーシング（34）の形状は直方体状でなくてもよく、平面視で長手と短手を有する形状であればよい。
【００５５】
また、上記実施形態について、図７に示すように、ドレンポンプ（41）を室内熱交換器（38）の外側に配置するようにしてもよい。この場合、各ドレン受部（42）の間には、底面が一端側へ傾斜する接続部（45）が設けられ、ドレン溜め部（44）が一方のドレン受部（42）の外側に連続して形成される。また、ドレン溜め部（44）があるので、吹出口（23）が長手方向の中央で２つに区画される。
【００５６】
また、上記実施形態について、本体ユニット（20）と化粧パネル（21）の間に、フィルタなどの機能性部材を収納する中間ユニット（16）を設けるようにしてもよい。
【００５７】
なお、以上の実施形態は、本質的に好ましい例示であって、本発明、その適用物、あるいはその用途の範囲を制限することを意図するものではない。
【産業上の利用可能性】
【００５８】
以上説明したように、本発明は、天井に設置される空気調和装置の室内ユニットについて有用である。
【図面の簡単な説明】
【００５９】
【図１】本発明の実施形態に係る室内ユニットの斜視図である。
【図２】本発明の実施形態に係る室内ユニットのII−II断面図である。
【図３】本発明の実施形態に係る室内ユニットの一部を省略した平面図である。
【図４】本発明の実施形態の変形例１に係る室内ユニットの横断面図である。
【図５】本発明の実施形態の変形例２に係る室内ユニットの横断面図である。
【図６】本発明の実施形態の変形例２に係る室内ユニットの短手方向の縦断面図である。
【図７】その他の実施形態に係る室内ユニットの横断面図である。
【符号の説明】
【００６０】
11  液側の冷媒配管（冷媒配管）
12  ガス側の冷媒配管（冷媒配管）
13  室内ユニット
18  ドレン配管
34  ケーシング
34a 長手側の側面
34b 短手側の側面
38  室内熱交換器
40  ドレンパン
41  ドレンポンプ
42  ドレン受け部
44  ドレン溜め部
【図１】
2007315670.tif 000003
【図２】
2007315670.tif 000004
【図３】
2007315670.tif 000005
【図４】
2007315670.tif 000006
【図５】
2007315670.tif 000007
【図６】
2007315670.tif 000008
【図７】
2007315670.tif 000009